(57)【要約】【課題】複数の電気負荷１８，２０への給電を行うコモンリレー３１の異常判定処理を、各電気負荷１８，２０への給電状態や駆動状態を監視するための監視回路３２，３５を用いて行う。【解決手段】燃焼運転制御を行っておらずコモンリレー３１の閉動作制御を行っていないときにコモンリレー３１の動作異常判定処理を行うよう構成する。この動作異常判定処理により、制御部３０がコモンリレー３１を閉動作制御していないにもかかわらず各電気負荷１８，２０に関連する監視回路３２，３５の出力に変化が生じるとコモンリレー３１の動作が異常であると判定するとともに、制御部３０がコモンリレー３１を閉動作制御しているにもかかわらず監視回路３２，３５の出力に変化が生じない場合にもコモンリレー３１の動作が異常であると判定する。【選択図】図１
2017228483.tif 000002
【特許請求の範囲】
【請求項１】
負荷駆動用電源に並列に接続される第１及び第２の電気負荷と、これら第１及び第２の電気負荷への電源供給路を開閉する開閉器と、第１の電気負荷に対して直列かつ第２の電気負荷に対して並列に接続されて異常温度時に第１の電気負荷に対する電源供給路を開く温度スイッチと、前記開閉器を駆動させるための開閉器駆動用給電路を開閉する第１のスイッチング回路と、前記温度スイッチと第１の電気負荷との間の電源供給路に負荷駆動用電源電圧が印加されると所定の温度スイッチ導通信号を出力する温度スイッチ監視回路と、第２の電気負荷に対して負荷駆動用電源から電力供給されると所定の第２電気負荷駆動状態信号を出力する第２電気負荷監視回路と、第１のスイッチング回路の開閉動作を制御するとともに前記温度スイッチ導通信号及び前記第２電気負荷駆動状態信号が入力される制御部とを備え、該制御部は、第１のスイッチング回路の閉動作制御を行っていないときに第１の動作異常判定処理を行うよう構成され、該第１の動作異常判定処理は、前記温度スイッチ導通信号及び前記第２電気負荷駆動状態信号の少なくともいずれかが出力されている場合に前記開閉器の動作が異常であると判定するものである、制御装置。
【請求項２】
請求項１に記載の制御装置において、前記制御部により開閉動作が制御される第２のスイッチング回路が第１のスイッチング回路と直列に前記開閉器駆動用給電路に設けられ、前記制御部は、前記第１の動作異常判定処理を行った後に第２の動作異常判定処理を行うよう構成され、該第２の動作異常判定処理は、第１及び第２のスイッチング回路をいずれも閉動作制御したときに前記温度スイッチ導通信号及び前記第２電気負荷駆動状態信号のいずれもが出力されない場合に前記開閉器の動作が異常であると判定するものである、制御装置。
【請求項３】
負荷駆動用電源に接続される第１の電気負荷と、該第１の電気負荷への電源供給路を開閉する開閉器と、第１の電気負荷に対して直列に接続されて異常温度時に第１の電気負荷に対する電源供給路を開く温度スイッチと、前記開閉器を駆動させるための開閉器駆動用給電路を開閉する第１のスイッチング回路と、前記温度スイッチと第１の電気負荷との間の電源供給路に負荷駆動用電源電圧が印加されると所定の温度スイッチ導通信号を出力する温度スイッチ監視回路と、第１のスイッチング回路の開閉動作を制御するとともに前記温度スイッチ導通信号が入力される制御部とを備え、該制御部は、第１のスイッチング回路の閉動作制御を行っていないときに第１の動作異常判定処理を行うよう構成され、該第１の動作異常判定処理は、前記温度スイッチ導通信号が出力されている場合に前記開閉器の動作が異常であると判定するものである、制御装置。
【請求項４】
負荷駆動用電源に並列に接続される第１及び第２の電気負荷と、これら第１及び第２の電気負荷への電源供給路を開閉する開閉器と、該開閉器を駆動させるための開閉器駆動用給電路を開閉する第１のスイッチング回路と、第２の電気負荷に対して負荷駆動用電源から電力供給されると所定の第２電気負荷駆動状態信号を出力する第２電気負荷監視回路と、第１のスイッチング回路の開閉動作を制御するとともに前記第２電気負荷駆動状態信号が入力される制御部とを備え、該制御部は、第１のスイッチング回路の閉動作制御を行っていないときに第１の動作異常判定処理を行うよう構成され、該第１の動作異常判定処理は、前記第２電気負荷駆動状態信号が出力されている場合に前記開閉器の動作が異常であると判定するものである、制御装置。
【請求項５】
請求項１〜４のいずれかに記載の制御装置において、前記制御部は、その起動時に第１の動作異常判定処理を実行するよう構成されていることを特徴とする制御装置。
【請求項６】
請求項１〜５のいずれかに記載の制御装置を燃焼動作制御のために備える燃焼機器であって、前記第１の電気負荷は、燃焼動作を行うための電気負荷であることを特徴とする燃焼機器。
【発明の詳細な説明】
【技術分野】
【０００１】
本発明は、燃焼機器などにおける電気負荷を駆動制御するための制御装置であって、電気負荷の駆動回路の異常の発生を自ら判定可能な制御装置に関する。
【背景技術】
【０００２】
本願出願人は、従来より、液体燃料を気化して生成する燃料ガスやこれを含む混合ガスを燃焼させることで温水暖房端末や給湯栓等への給湯を行う給湯装置（燃焼機器）の開発を行っており、例えば下記の特許文献１に開示している。かかる気化式燃焼機器は、交流１００Ｖ電源により動作する種々の高圧電気負荷を給湯運転用の電気負荷として備えているとともに、これら電気負荷を制御する制御装置が備えられており、この制御装置は、特に異常判定を行う必要のある電気負荷の動作状態の監視をも行っている。
【先行技術文献】
【特許文献】
【０００３】
【特許文献１】特開２００７−７８２８１号公報
【発明の概要】
【発明が解決しようとする課題】
【０００４】
上記の気化式燃焼機器用の制御装置において、特に液体燃料の気化燃焼動作を行わせるための気化ヒータ（７３）、サブヒータ（９０）、イグナイタ（点火プラグ）、液体燃料を汲み上げるための液体燃料用電磁ポンプなどの燃焼動作用の電気負荷に対しては、共通のコモンリレー（開閉器）を介して電源供給するよう回路構成することが好ましい。
【０００５】
この場合、サブヒータ（第２の電気負荷）については、コモンリレーが閉動作すると常時通電されるよう構成する一方、気化ヒータ、イグナイタ並びに液体燃料用電磁ポンプは、さらに個別のリレーによって通電するか否かを制御できるよう回路構成できる。これらコモンリレー並びに個別のリレーは、リレー駆動制御用１５Ｖ電源の供給によって閉動作させるが、すべてのリレーへの給電を一括して遮断するためのメインスイッチング回路（第１のスイッチング回路）を設けるとともに、各リレーを個別に開閉制御するために各リレー毎に開閉器駆動用給電路を開閉する個別スイッチング回路（第２のスイッチング回路）を設けることが好ましい。
【０００６】
さらに、空だきなどの場合に気化燃焼動作を自動的に安全停止させるとともに再点火を防止するために、イグナイタ並びに液体燃料用電磁ポンプ（第１の電気負荷）に対しては、異常温度時に電源供給路を開く空だき安全装置（温度スイッチ）をも介して電源供給されるよう回路構成する。
【０００７】
また、空だき安全装置の作動、すなわち、異常温度によってイグナイタ並びに液体燃料用電磁ポンプへの電源供給が遮断されたことを検出して適切な制御を行えるようにするために、空だき安全装置の作動状態を監視するハイリミット監視回路を設けることが好ましく、また、気化ヒータやサブヒータのオープン故障（断線）の有無を監視するヒータ監視回路をも設けることが好ましい。
【０００８】
これらハイリミット監視回路やヒータ監視回路とともに、コモンリレーが正常に開閉動作するか否かを監視するコモンリレー監視回路をも設けることが好ましいが、部品点数の削減、基板実装面積の削減等の観点から、上記のハイリミット監視回路やヒータ監視回路をコモンリレーの異常判定に兼用することが要求されている。
【０００９】
しかしながら、ハイリミット監視回路やヒータ監視回路の出力信号が異常なものであっても、それが空だき安全装置やヒータの故障によるものなのか、コモンリレー又はその駆動回路の故障によるものなのかを判断できない。
【００１０】
そこで、本発明は、コモンリレーなどの開閉器又はその駆動回路の故障チェックを、空だき安全装置などの温度スイッチ用の監視回路や、サブヒータなどの電気負荷用の監視回路を用いて、温度スイッチや電気負荷の故障とは区別して行えるようにすることを目的とする。
【課題を解決するための手段】
【００１１】
上記目的を達成するために、本発明は、次の技術的手段を講じた。
【００１２】
すなわち、本発明の制御装置は、負荷駆動用電源に並列に接続される第１及び第２の電気負荷と、これら第１及び第２の電気負荷への電源供給路を開閉する開閉器と、第１の電気負荷に対して直列かつ第２の電気負荷に対して並列に接続されて異常温度時に第１の電気負荷に対する電源供給路を開く温度スイッチと、前記開閉器を駆動させるための開閉器駆動用給電路を開閉する第１のスイッチング回路と、前記温度スイッチと第１の電気負荷との間の電源供給路に負荷駆動用電源電圧が印加されると所定の温度スイッチ導通信号を出力する温度スイッチ監視回路と、第２の電気負荷に対して負荷駆動用電源から電力供給されると所定の第２電気負荷駆動状態信号を出力する第２電気負荷監視回路と、第１のスイッチング回路の開閉動作を制御するとともに前記温度スイッチ導通信号及び前記第２電気負荷駆動状態信号が入力される制御部とを備え、該制御部は、第１のスイッチング回路の閉動作制御を行っていないときに第１の動作異常判定処理を行うよう構成され、該第１の動作異常判定処理は、前記温度スイッチ導通信号及び前記第２電気負荷駆動状態信号の少なくともいずれかが出力されている場合に前記開閉器の動作が異常であると判定するものである（請求項１）。
【００１３】
かかる本発明の制御装置によれば、第１及び第２の電気負荷を駆動させる場合は、第１のスイッチング回路を閉動作制御することで開閉器を導通（閉動作）させることで、第２の電気負荷に給電されるとともに、温度スイッチが異常温度を検出していなければ第１の電気負荷にも給電される。このとき、温度スイッチ監視回路が温度スイッチ導通信号を出力していれば温度スイッチが導通している（閉じている）ことを制御部が判定可能であるとともに、第２電気負荷監視回路が第２電気負荷駆動状態信号を出力していれば、第２の電気負荷に断線等のオープン故障がなく正常に動作していることを制御部が判定可能である。
【００１４】
一方、運転停止中は、第１及び第２の電気負荷への給電を停止するために第１のスイッチング回路を開動作制御して開閉器を遮断（開動作）させる。本発明では、かかる運転停止中に第１の動作異常判定処理を行うことによって、開閉器異常判定用の回路構成を別途設けずとも、開閉器のショート故障（閉固着）や第１のスイッチング回路のショート故障による開閉器の動作異常を判定できる。
【００１５】
さらに、第１の動作異常判定処理は、第１のスイッチング回路の閉動作制御を行っていない状態であるにもかかわらず、温度スイッチ導通信号及び第２電気負荷駆動状態信号の少なくともいずれかが出力されている場合に、開閉器の動作が異常であると判定するものであるから、温度スイッチが異常温度により開いていたり、第２の電気負荷がショート故障した場合であっても、この両方が同時に発生することは殆ど無いため、開閉器の動作異常であることを的確に判定でき、かかる開閉器の動作異常判定によって開閉器の動作は正常であると判定されなければ温度スイッチ導通信号による温度スイッチの開閉状態の判定や第２電気負荷駆動状態信号による第２の電気負荷の故障判定を行わないよう構成することで、これら温度スイッチや第２の電気負荷についての判定も的確に行えるようになる。
【００１６】
上記本発明の制御装置において、前記制御部により開閉動作が制御される第２のスイッチング回路が第１のスイッチング回路と直列に前記開閉器駆動用給電路に設けられ、前記制御部は、前記第１の動作異常判定処理を行った後に第２の動作異常判定処理を行うよう構成され、該第２の動作異常判定処理は、第１及び第２のスイッチング回路をいずれも閉動作制御したときに前記温度スイッチ導通信号及び前記第２電気負荷駆動状態信号のいずれもが出力されない場合に前記開閉器の動作が異常であると判定するものとすることができる（請求項２）。
【００１７】
これによれば、第１及び第２の２つのスイッチング回路がいずれも閉動作制御されることにより開閉器駆動用給電路を介して開閉器に制御用電源電圧が印加されるようになるため、開閉器が不慮に閉動作してしまうことが一層防止される。なお、第１のスイッチング回路は、他の開閉器その他の制御用電気部品に制御用電源電圧を供給するための共通のメインスイッチング回路として構成でき、第２のスイッチング回路は、上記開閉器を開閉制御するための個別のスイッチング回路であってよい。なお、第１の動作異常判定処理を行う場合には、第２のスイッチング回路を閉動作制御しておくことが好ましい。
【００１８】
そして、第１の動作異常判定処理によって正常と判定された後に、第２の動作異常判定処理を行うことにより、第１及び第２のスイッチング回路のいずれかがオープン故障しているか、或いは、開閉器がオープン故障（開固着）することによる開閉器の動作異常の発生であると判定できる。この場合も、温度スイッチ導通信号及び第２電気負荷駆動状態信号の双方が出力されない場合に異常であると判定するので、異常温度により温度スイッチが閉じていたり、第２の電気負荷の断線が生じた場合であっても、他方の信号が出力されていることで開閉器の動作としては正常であると的確に判定でき、その後、温度スイッチや第２の電気負荷について個別に異常判定を行うことにより、いずれの部位が異常であるかを的確に峻別して判定させることができる。
【００１９】
なお、上記したように、温度スイッチ監視回路及び第２電気負荷監視回路の２つの監視回路の出力信号に基づいて開閉器の動作異常を判定することが好ましいが、いずれか一方の監視回路の出力信号のみに基づいて開閉器の動作異常の判定を行うこともできる。
【００２０】
すなわち、本発明の制御装置は、負荷駆動用電源に接続される第１の電気負荷と、該第１の電気負荷への電源供給路を開閉する開閉器と、第１の電気負荷に対して直列に接続されて異常温度時に第１の電気負荷に対する電源供給路を開く温度スイッチと、前記開閉器を駆動させるための開閉器駆動用給電路を開閉する第１のスイッチング回路と、前記温度スイッチと第１の電気負荷との間の電源供給路に負荷駆動用電源電圧が印加されると所定の温度スイッチ導通信号を出力する温度スイッチ監視回路と、第１のスイッチング回路の開閉動作を制御するとともに前記温度スイッチ導通信号が入力される制御部とを備え、該制御部は、第１のスイッチング回路の閉動作制御を行っていないときに第１の動作異常判定処理を行うよう構成され、該第１の動作異常判定処理は、前記温度スイッチ導通信号が出力されている場合に前記開閉器の動作が異常であると判定するものであってよい（請求項３）。
【００２１】
かかる構成においても、第１のスイッチング回路の閉動作制御を行っていないときに実行される第１の動作異常判定処理によって、開閉器異常判定用の回路構成を別途設けずとも、温度スイッチ導通信号に基づいて開閉器のショート故障（閉固着）や第１のスイッチング回路のショート故障による開閉器の動作異常を判定できる。
【００２２】
なお、異常温度により温度スイッチが開いている場合に第１の動作異常判定処理が実行されると、開閉器がショート故障していても正常であると判定されてしまうことがあるため、第１の異常判定処理を実行しようとするときは、温度スイッチが異常温度から正常温度となるまでの必要十分な待機時間経過後に、第１の異常判定処理を行うよう構成することが好ましい。
【００２３】
また、本発明の制御装置は、負荷駆動用電源に並列に接続される第１及び第２の電気負荷と、これら第１及び第２の電気負荷への電源供給路を開閉する開閉器と、該開閉器を駆動させるための開閉器駆動用給電路を開閉する第１のスイッチング回路と、第２の電気負荷に対して負荷駆動用電源から電力供給されると所定の第２電気負荷駆動状態信号を出力する第２電気負荷監視回路と、第１のスイッチング回路の開閉動作を制御するとともに前記第２電気負荷駆動状態信号が入力される制御部とを備え、該制御部は、第１のスイッチング回路の閉動作制御を行っていないときに第１の動作異常判定処理を行うよう構成され、該第１の動作異常判定処理は、前記第２電気負荷駆動状態信号が出力されている場合に前記開閉器の動作が異常であると判定するものであってもよい（請求項４）。
【００２４】
かかる構成においても、第１のスイッチング回路の閉動作制御を行っていないときに実行される第１の動作異常判定処理によって、開閉器異常判定用の回路構成を別途設けずとも、第２電気負荷駆動状態信号に基づいて開閉器のショート故障（閉固着）や第１のスイッチング回路のショート故障による開閉器の動作異常を判定できる。
【００２５】
なお、第２の電気負荷が断線等によってオープン故障しているときは、第２の電気負荷に対して負荷駆動用電源から電力供給がなされず、第２電気負荷駆動状態信号も出力されないため、第１の動作異常判定処理によっては開閉器がショート故障していることを検出できない。したがって、上記構成の場合、まず、開閉器駆動用給電路に直列に設けた第１のスイッチング回路を閉動作制御した状態で第２電気負荷駆動状態信号が出力されているか否かによって第２の電気負荷がショート故障していないか否かを判定し、第２の電気負荷がショート故障していないと判定された場合に第１の動作異常判定処理による開閉器の動作異常判定を行うよう構成することが好ましい。
【００２６】
上記本発明の制御装置において、前記制御部は、その起動時に第１の動作異常判定処理を実行するよう構成されていてよい（請求項５）。これによれば、燃焼動作等の所定の運転制御の開始前に開閉器の動作異常判定を行うことで、運転開始後の温度スイッチ導通信号及び第２電気負荷駆動状態信号に基づく温度スイッチ及び第２の電気負荷の監視を的確に行うことができる。
【００２７】
また、本発明は、上記した制御装置を燃焼動作制御のために備える燃焼機器であってよく、この場合、前記第１の電気負荷及び／又は第２の電気負荷は、燃焼動作を行うための電気負荷であってよい（請求項６）。これによれば、燃焼動作を担う複数の電気負荷の監視と、これら電気負荷の駆動回路の監視を、共通の回路構成を用いて行うことができ、回路構成の簡素化、部品点数の削減、基板実装面積の削減等により、装置の小型化とコスト低減とを図ることができる。
【発明の効果】
【００２８】
本発明によれば、コモンリレーなどの開閉器又はその駆動回路の故障チェックを、空だき安全装置などの温度スイッチ用の監視回路や、サブヒータなどの電気負荷用の監視回路を用いて、温度スイッチや電気負荷の故障とは区別して行うことができる。
【図面の簡単な説明】
【００２９】
【図１】本発明の一実施形態に係る制御装置を備える燃焼機器としての暖房端末用給湯装置の概略構成図である。
【図２】同制御装置の主要部の回路図である。
【発明を実施するための形態】
【００３０】
以下、本発明の好適な実施形態を図面に基づいて説明する。
【００３１】
図１は、本発明の一実施形態に係る暖房端末用の気化燃焼式給湯装置を示しており、該給湯装置は、灯油などの液体燃料を気化させて燃焼させる燃焼部１と、該燃焼部１により生成される高温の燃焼ガスによって湯水を熱交換加熱する一次熱交換器２とが、燃焼缶体３内に配置されている。図示例では燃焼缶体３の上部に燃焼部１が配置され、この燃焼部１の下方に一次熱交換器２が配置され、燃焼部１から下方に向けて燃焼ガスが供給され、該燃焼ガスが一次熱交換器２を下方に向けて通過する際に、一次熱交換器２内を流通する湯水を熱交換加熱するよう構成されている。燃焼缶体３の下部には排気筒４が接続され、該排気筒４内を通って熱交換後の排ガスが排気される。
【００３２】
また、一次熱交換器２を通過した燃焼ガスの潜熱を回収するための二次熱交換器５が、一次熱交換器２よりも鉛直方向に高い位置で排気筒４に設けられている。なお、二次熱交換器５で発生する凝縮水は中和器６に回収され、中和剤によって中和した後に排水するよう構成されている。
【００３３】
本実施形態の給湯装置は、暖房端末Ｔに対して循環給湯するための給湯回路を備えており、該給湯回路は、上記の一次熱交換器２と、該一次熱交換器２から出湯される湯水を暖房端末Ｔへ導くための往き配管７と、暖房タンク８（膨張タンク）と、暖房端末Ｔから戻される湯水を暖房タンク８へ導くための戻り配管９と、上記の二次熱交換器５と、暖房タンク８から二次熱交換器５へ湯水を導くための第１接続配管１０と、二次熱交換器５から一次熱交換器２へ湯水を導くための第２接続配管１１と、一次熱交換器２から出湯される湯水の一部を暖房タンク８へ戻すバイパス管１２とにより構成される。第１接続配管１０の中途部には循環ポンプ１３が設けられている。バイパス管１２の中途部には、バイパス流量を調整するためのバイパス熱動弁１４が設けられている。
【００３４】
燃焼部１は、カップ状の気化器１５と、気化器１５を加熱するための気化ヒータ１６と、炎孔ベース１７と、炎孔ベース１７を予備加熱するためのサブヒータ１８と、イグナイタ（点火装置）１９とを備えている。また、本実施形態では、灯油などの液体燃料を、燃料ポンプ２０によって汲み上げて、燃料パイプ２１を介して気化器１５内に供給可能に構成されている。気化器１５は電気式の気化ヒータ１６によって所定温度まで加熱され、加熱された気化器１５内に液体燃料が供給されることによって液体燃料の気化が促進されるようになっている。
【００３５】
気化器１５内には拡散部材２２（拡散羽根）がモータＭによって回転駆動可能に配置されており、液体燃料は気化器１５に接触する前に拡散部材２２により気化器１５内面の広い範囲に拡散されることによって燃料の気化が一層促進されるようになっている。気化した燃料ガスは、炎孔ベース１７の上側に向けて流通し、燃焼用空気と混合される。この燃焼用空気は、モータＭによって回転駆動されるファン２３が、燃焼缶体３上部の給気口３ａから燃焼缶体３内に取り込んだものである。気化燃料と燃焼用空気との混合ガスは、炎孔ベース１７に貫通して設けられている複数の炎孔（図示省略）から下向きに噴出し、イグナイタ１９によって点火されることにより燃焼する。
【００３６】
本実施形態の給湯装置は、イグナイタ１９へ高圧電圧を印加するための点火トランス２４、フレームロッド（炎検知装置）２５、空だき安全装置としての温度スイッチ２６、制御部３０をさらに備えている。温度スイッチ２６は、一次熱交換器２の出湯口付近で燃焼缶体３に取り付けられており、正常温度範囲内では接点が閉じているが、例えば１００℃以上の異常な高温になると接点が開くよう構成されている。
【００３７】
制御部３０は、マイクロコンピュータにより主構成されており、給湯装置に具備された上述の種々の電気負荷その他の電気部品とともに給湯装置の制御装置を構成するものである。燃料ポンプ２０（第１の電気負荷）、サブヒータ１８（第２の電気負荷）、気化ヒータ１６、点火トランス２４、循環ポンプ１３、バイパス熱動弁１４、モータＭなどが電気負荷となる。また、温度スイッチ２６、フレームロッド２５、並びに、図示しない各種センサ（雰囲気温度センサ、缶体温度センサ、炎孔ベース温度センサ、燃焼用空気温度センサ、液体燃料センサ、中和器水位センサなど）がその他の電気部品となる。図示しないリモコンから給湯運転開始指令がなされると、制御部３０は、設定温度並びに各種センサの検知信号等に基づいて上記電気負荷の動作を制御することにより、暖房端末Ｔに対する給湯運転を行う。
【００３８】
図２は、本実施形態に係る制御装置の主要部を示しており、負荷駆動用電源Ａとしての商用１００Ｖ交流電源電圧が供給される高圧回路部については太線で図示し、リレー駆動用１５Ｖ直流電源電圧並びに制御部動作用５Ｖ直流電源電圧が供給される低圧回路部については細線で図示している。
【００３９】
負荷駆動用電源Ａには、燃料ポンプ２０（第１の電気負荷）及びサブヒータ１８（第２の電気負荷）が並列に接続されており、これら燃料ポンプ２０及びサブヒータ１８への電源供給路の中途部には常開接点式のコモンリレー３１（開閉器）が設けられ、該コモンリレー３１を制御部３０が開閉制御することによって、燃料ポンプ２０及びサブヒータ１８への電源供給路を開閉可能に構成されている。なお、点火トランス２４や気化ヒータ１６などの燃焼部１における気化燃焼動作に関わる電気負荷も、コモンリレー３１によって一括して給電を遮断できるよう、燃料ポンプ２０やサブヒータ１８とともに並列に負荷駆動用電源Ａに接続することができる。その他の循環ポンプ１３やバイパス熱動弁１４などの電気負荷は、コモンリレー３１よりも負荷駆動用電源Ａ側で、負荷駆動用電源Ａに直接接続することができる。
【００４０】
燃料ポンプ２０には上記温度スイッチ２６が直列に接続されており、空だきが生じたときなどに温度スイッチ２６が異常温度になると燃料ポンプ２０への給電が自動的に遮断されるようになっている。なお、温度スイッチ２６はサブヒータ１８に対しては並列に接続されており、したがって温度スイッチ２６が開いてもコモンリレー３１が閉動作していればサブヒータ１８に対する給電は継続されるようになっている。
【００４１】
サブヒータ１８にはサブヒータ監視回路３２（第２電気負荷監視回路）が直列に接続されており、負荷駆動用電源Ａからサブヒータ１８に電力供給がなされてサブヒータ１８のアース側に電圧が印加されると、サブヒータ１８が駆動していることを示す所定のサブヒータ駆動状態信号（第２電気負荷駆動状態信号）を制御部３０に対して出力するよう構成されている。監視回路３２の構成は適宜のものであってよいが、図示実施例では、交流電源電圧を半波整流してフォトカプラＰ１に通電することで、サブヒータ１８に電力供給されている間はパルス信号からなるサブヒータ駆動状態信号を制御部３０のサブヒータ監視入力ポートへ出力する一方、サブヒータ１８の断線時やコモンリレー３１の開動作時などサブヒータ１８に電力供給されていなければ定常電圧信号（図示例では５Ｖ電圧信号）を制御部３０のサブヒータ監視入力ポートへ出力するように構成されている。
【００４２】
また、燃料ポンプ２０には、該燃料ポンプ２０への通電を個別に遮断するための常開接点式の燃料ポンプリレー３３が直列に接続されており、該燃料ポンプリレー３３は制御部３０によって開閉制御される。
【００４３】
燃料ポンプリレー３３の開閉状態は、燃料ポンプ２０に対して並列かつ燃料ポンプリレー３３に対して直列に接続された燃料ポンプ監視回路３４によって監視可能に構成されている。この燃料ポンプ監視回路３４も、サブヒータ監視回路３２と同様の構成とされ、燃料ポンプリレー３３の閉動作時にパルス信号からなる燃料ポンプ駆動状態信号が制御部３０の燃料ポンプ監視入力ポートへ出力される一方、燃料ポンプリレー３３の開動作時には定常電圧信号が制御部３０の燃料ポンプ監視入力ポートに出力される。
【００４４】
さらに、温度スイッチ２６と燃料ポンプ２０との間の電源供給路に負荷駆動用電源電圧が印加されているか否かに基づいて温度スイッチ２６の開閉状態を監視するための温度スイッチ監視回路３５が設けられている。この温度スイッチ監視回路３５も、サブヒータ監視回路３２と同様の構成とされ、コモンリレー３１及び温度スイッチ２６が閉じていればパルス信号からなる温度スイッチ導通信号を制御部３０のハイリミット監視入力ポートに出力する一方、コモンリレー３１及び温度スイッチ２６のいずれかが開いていれば定常電圧信号を制御部３０のハイリミット監視入力ポートに出力する。
【００４５】
なお、負荷駆動用電源Ａには、上記コモンリレー３１及び燃料ポンプリレー３３を含む各種リレー駆動用の１５Ｖ直流電源電圧を生成出力するＡＣ／ＤＣコンバータ２８が接続され、また、１５Ｖ直流電源電圧にはレギュレータ２９が接続されて、該レギュレータ３７により制御部３０などの制御電源電圧となる５Ｖ直流電源電圧が生成出力される。
【００４６】
本実施形態の制御装置は、コモンリレー３１及び燃料ポンプリレー３３を含む各種リレーへのリレー駆動用給電路（開閉器駆動用給電路）を一括して開閉するための共通スイッチング回路３６（第１のスイッチング回路）を備えている。この共通スイッチング回路３６は、制御部３０のリレー電源制御出力ポートからの指令信号に応じて、上記１５Ｖ直流電源をリレー駆動用電圧ラインＶｒに通電するか否かを切り替えるよう構成されており、図示例では、制御部３０のリレー電源制御出力ポートからＨｉｇｈ信号が出力されるとリレー駆動用電源ラインＶｒが１５Ｖ直流電源に通電され、リレー電源制御出力ポートからＬｏｗ信号が出力されるとリレー駆動用電源ラインＶｒが１５Ｖ直流電源から遮断されるようになっている。
【００４７】
コモンリレー３１の電磁コイル３１ａの正側端子はリレー駆動用電源ラインＶｒに接続され、負側端子は、コモンリレー駆動用スイッチング回路３７（第２のスイッチング回路）を介してグラウンドに接続されている。電磁コイル３１ａには逆起電力防止用ダイオードＤ１が並列に接続されている。コモンリレー駆動用スイッチング回路３７は適宜の構成であってよいが、図示例ではＦＥＴにより主構成されている。そして、共通スイッチング回路３６が閉じている状態で制御部３０のコモンリレー制御出力ポートからＨｉｇｈ信号（閉動作指令信号）が出力されるとスイッチング回路３７が閉じてコモンリレー３１が閉動作され、Ｌｏｗ信号（開動作指令信号）が出力されるとスイッチング回路３７が開いてコモンリレー３１が開動作する。１５Ｖ直流電源からグラウンドに至るコモンリレー駆動用給電路全体としてみれば、コモンリレー駆動用スイッチング回路３７は共通スイッチング回路３６と直列に接続されており、いずれか一方のスイッチング回路３６，３７が開動作するとコモンリレー３１への給電が遮断されてコモンリレー３１が開動作し、両方のスイッチング回路３６，３７が閉動作することでコモンリレー３１への給電がなされてコモンリレー３１が閉動作する。なお、図示例ではコモンリレー駆動用スイッチング回路３７をコモンリレー３１のグラウンド側に接続したが、リレー駆動用電源ラインＶｒ側に接続してもよい。
【００４８】
同様に、燃料ポンプリレー３３の電磁コイル３３ａの正側端子がリレー駆動用電源ラインＶｒに接続され、負側端子が燃料ポンプリレー駆動用スイッチング回路３８（第３のスイッチング回路）を介してグラウンドに接続されている。電磁コイル３３ａには逆起電力防止用ダイオードＤ２が並列に接続されている。燃料ポンプリレー駆動用スイッチング回路３８も適宜の構成であってよいが、図示例ではバイポーラトランジスタにより主構成されている。そして、共通スイッチング回路３６が閉じている状態で制御部３０の燃料ポンプ制御出力ポートからＨｉｇｈ信号（閉動作指令信号）が出力されるとスイッチング回路３８が閉じて燃料ポンプリレー３３が閉動作され、Ｌｏｗ信号（開動作指令信号）が出力されるとスイッチング回路３８が開いて燃料ポンプリレー３３が開動作する。１５Ｖ直流電源からグラウンドに至る燃料ポンプリレー駆動用給電路全体としてみれば、燃料ポンプリレー駆動用スイッチング回路３８は共通スイッチング回路３６と直列に接続されており、いずれか一方のスイッチング回路３６，３８が開動作すると燃料ポンプリレー３３への給電が遮断されて燃料ポンプリレー３３が開動作し、両方のスイッチング回路３６，３８が閉動作することで燃料ポンプリレー３３への給電がなされて燃料ポンプリレー３３が閉動作する。なお、図示例では燃料ポンプリレー駆動用スイッチング回路３８を燃料ポンプリレー３３のグラウンド側に接続したが、リレー駆動用電源ラインＶｒ側に接続してもよい。
【００４９】
そして、本実施形態では、制御部３０が、その電源投入による起動時や、給湯運転開始時や、給湯運転停止中の所定のタイミング（例えば、給湯運転停止直後や、給湯運転停止から所定時間経過後や、給湯運転停止中の所定時間毎など）で、コモンリレー３１の動作が正常であるか異常であるかを判定するためのコモンリレー異常判定処理を実行するよう構成されている。
【００５０】
コモンリレー異常判定処理は、主としてショート故障による異常を検出するための第１の動作異常判定処理と、主としてオープン故障による異常を検出するための第２の動作異常判定処理とを有することができ、まず第１の動作異常判定処理を行い、第１の動作異常判定処理によって異常が検出されなかった場合に続けて第２の動作異常判定処理を行うことができる。
【００５１】
第１の動作異常判定処理について説明すると、まず、リレー電源制御出力ポートの出力をＬｏｗで維持したまま（すなわち、共通スイッチング回路３６の開動作制御を維持したまま）、コモンリレー制御ポートの出力をＨｉｇｈに切り替える（すなわち、コモンリレー駆動用スイッチング回路３７を閉動作制御する）。このとき、サブヒータ監視入力ポート及びハイリミット監視入力ポートへの入力信号のいずれかがパルス信号（すなわち、温度スイッチ導通信号又はサブヒータ駆動状態信号）であれば、共通スイッチング回路３６を開動作制御しているにもかかわらず温度スイッチ監視回路３５又はサブヒータ監視回路３２に負荷駆動用電源電圧が印加されていることとなるため、コモンリレー３１の閉固着や共通スイッチング回路３６のショート故障等によってコモンリレー３１が開動作しないという動作異常が生じていると判定して、かかる動作異常である旨のエラー報知を行い、異常判定処理を終了して給湯運転禁止状態とする。エラー報知の方法は適宜のものであってよいが、例えば、リモコン表示画面にＥ０２１のようなエラーコードを表示することができる。
【００５２】
第１の動作異常判定処理で異常と判定されなければ、次に、コモンリレー制御ポートの出力をＨｉｇｈで維持したまま、リレー電源制御出力ポートの出力をＨｉｇｈに切り替える（すなわち、共通スイッチング回路３６を閉動作制御する）。このとき、サブヒータ監視入力ポート及びハイリミット監視入力ポートへの入力信号のいずれかがパルス信号（すなわち、温度スイッチ導通信号又はサブヒータ駆動状態信号）であれば、コモンリレー３１の動作は正常であると判定してコモンリレー異常判定処理は終了して、給湯運転開始指令がなされていれば給湯運転制御に移行する。一方、サブヒータ監視入力ポート及びハイリミット監視入力ポートへの入力信号のいずれもパルス信号にならなければ、コモンリレー３１の開固着や共通スイッチング回路３６又はコモンリレー駆動用スイッチング回路３７のオープン故障等によってコモンリレー３１が閉動作しないという動作異常が生じていると判定して、かかる動作異常である旨のエラー報知を行い、異常判定処理を終了して給湯運転禁止状態とする。
【００５３】
なお、第１及び第２の動作異常判定処理の実行時には、不慮に液体燃料が気化器１５内に供給されてしまうことを防止するために、燃料ポンプリレー３３は開いたままにしておく。
【００５４】
このように、本実施形態によれば、コモンリレー３１の動作異常の判定を、温度スイッチ２６の開閉状態を監視するための温度スイッチ監視回路３５、並びに、サブヒータ１８の駆動状態を監視するためのサブヒータ監視回路３２の出力信号に基づいて、給湯運転停止時に行うことができる。そして、コモンリレー３１の動作異常判定によって異常が検出されなかった場合にのみ燃焼動作を含む給湯運転を開始することで、この給湯運転中（燃焼動作中）の温度スイッチ２６の開閉状態判定や、サブヒータ１８の駆動状態判定の際に、実際はコモンリレー３１の動作異常であるにもかかわらず温度スイッチ２６やサブヒータ１８の故障であると判定報知されてしまうことが低減され、修理対応も的確かつ円滑に行えるようになる。
【００５５】
本発明は上記実施形態に限定されるものではなく、適宜設計変更できる。例えば、上記実施形態では暖房端末用の給湯装置を示したが、給湯栓への給湯を行う給湯器や、ファンヒータなどの適宜の燃焼式熱源機に採用することができ、その他、適宜の電気機器に採用することもできる。
【００５６】
また、上記実施形態では、温度スイッチ監視回路３５及びサブヒータ監視回路３２の２つの監視回路の出力信号に基づいてコモンリレー３１の動作異常判定をする例を示したが、いずれか一方の監視回路３２，３５の出力信号のみに基づいてコモンリレー３１の動作異常判定を行うこともできる。
【符号の説明】
【００５７】
Ａ  負荷駆動用電源
１８  第２の電気負荷（サブヒータ）
２０  第１の電気負荷（燃料ポンプ）
２６  温度スイッチ
３０  制御部
３１  開閉器（コモンリレー）
３２  第２電気負荷監視回路（サブヒータ監視回路）
３５  温度スイッチ監視回路
３６  第１のスイッチング回路（共通スイッチング回路）
３７  第２のスイッチング回路（コモンリレー駆動用スイッチング回路）
【図１】
2017228483.tif 000003
【図２】
2017228483.tif 000004